(57)【要約】【課題】強度が高く大型化が可能であると共に折紙にはない独特の金属光沢が出て飾ったときの商品性に秀れ、その上製作も容易に行われる金属製折鶴形置物を提供すること。【解決手段】折鶴の胴部分と羽根部分とを金属板で象り加工して羽根付胴体部１を形成し、この羽根付胴体部１の前後に差込用突片２を設け、折鶴の首部分と尾部分とを金属板で象り加工した首部３の下部と尾部４の下部とに、前記差込用突片２を差込することで差込用突片２に被嵌し得る被嵌差込部５を設けて、羽根付胴体部１の前側の差込用突片２に前記首部３の被嵌差込部５を差込すると共に、後側の差込用突片２に前記尾部４の被嵌差込部５を差込することで、前後の差込用突片２が首部３と尾部４とによって被嵌隠蔽された折鶴形に形成する。【選択図】        図１１
2004262053.tif 000002
【特許請求の範囲】
【請求項１】
折鶴の胴部分と羽根部分とを金属板で象り加工して羽根付胴体部を形成し、この羽根付胴体部の前後に差込用突片を設け、折鶴の首部分と尾部分とを金属板で象り加工した首部の下部と尾部の下部とに、前記差込用突片を差込することで差込用突片に被嵌し得る被嵌差込部を設けて、羽根付胴体部の前側の差込用突片に前記首部の被嵌差込部を差込すると共に、後側の差込用突片に前記尾部の被嵌差込部を差込することで、前後の差込用突片が首部と尾部とによって被嵌隠蔽された折鶴形に形成したことを特徴とする金属製折鶴形置物。
【請求項２】
金属製下地板材に金属製外装板材を重合して成る前記金属板を採用して前記首部と前記尾部とを構成し、この首部と尾部の下部では、前記下地板材と前記外装板材との間に隙間が生じるように形成して、この隙間を前記差込用突片が差込配設する前記被嵌差込部としたことを特徴とする請求項１記載の金属製折鶴形置物。
【請求項３】
前記羽根付胴体部は、金属板を折鶴の胴部分の形に象り加工した胴部に、金属板を折鶴の羽根部分の形に象り加工した羽根部を添設状態に付設することで構成したことを特徴とする請求項１，２のいずれか１項に記載の金属製折鶴形置物。
【請求項４】
前記胴部は、金属板を折曲加工して折鶴の胴部分の形に形成し、この胴部の前後位置に前記差込用突片を設け、この胴部の左右位置に前記羽根部を添設状態に付設し得る添設部を形成したことを特徴とする請求項３記載の金属製折鶴形置物。
【請求項５】
金属製下地板材の表裏両面に金属製外装板材を重合して成る前記金属板を採用して前記羽根部を構成したことを特徴とする請求項３，４のいずれか１項に記載の金属製折鶴形置物。
【請求項６】
前記首部と前記尾部とは、金属板を折曲加工して折鶴の首部分と尾部分の形に形成したことを特徴とする請求項１〜５の記載の金属製折鶴形置物。
【発明の詳細な説明】
【０００１】
【発明の属する技術分野】
本発明は、折鶴の形を模した金属製折鶴形置物に関するものである。
【０００２】
【従来の技術及び発明が解決しようとする課題】
折鶴と言えば折紙で作るもの、即ち紙製であるが、本発明は、金属製の折鶴形の置物とすることで、強度が高く大型化が可能であると共に折紙にはない独特の金属光沢が出て飾ったときの商品性に秀れ、その上製作も容易に行われる画期的な金属製折鶴形置物を提供するものである。
【０００３】
【課題を解決するための手段】
添付図面を参照して本発明の要旨を説明する。
【０００４】
折鶴の胴部分と羽根部分とを金属板で象り加工して羽根付胴体部１を形成し、この羽根付胴体部１の前後に差込用突片２を設け、折鶴の首部分と尾部分とを金属板で象り加工した首部３の下部と尾部４の下部とに、前記差込用突片２を差込することで差込用突片２に被嵌し得る被嵌差込部５を設けて、羽根付胴体部１の前側の差込用突片２に前記首部３の被嵌差込部５を差込すると共に、後側の差込用突片２に前記尾部４の被嵌差込部５を差込することで、前後の差込用突片２が首部３と尾部４とによって被嵌隠蔽された折鶴形に形成したことを特徴とする金属製折鶴形置物に係るものである。
【０００５】
また、金属製下地板材６に金属製外装板材７を重合して成る前記金属板を採用して前記首部３と前記尾部４とを構成し、この首部３と尾部４の下部では、前記下地板材６と前記外装板材７との間に隙間が生じるように形成して、この隙間を前記差込用突片２が差込配設する前記被嵌差込部５としたことを特徴とする請求項１記載の金属製折鶴形置物に係るものである。
【０００６】
また、前記羽根付胴体部１は、金属板を折鶴の胴部分の形に象り加工した胴部８に、金属板を折鶴の羽根部分の形に象り加工した羽根部９を添設状態に付設することで構成したことを特徴とする請求項１，２のいずれか１項に記載の金属製折鶴形置物に係るものである。
【０００７】
また、前記胴部８は、金属板を折曲加工して折鶴の胴部分の形に形成し、この胴部８の前後位置に前記差込用突片２を設け、この胴部８の左右位置に前記羽根部９を添設状態に付設し得る添設部８Ａを形成したことを特徴とする請求項３記載の金属製折鶴形置物に係るものである。
【０００８】
また、金属製下地板材６の表裏両面に金属製外装板材７を重合して成る前記金属板を採用して前記羽根部９を構成したことを特徴とする請求項３，４のいずれか１項に記載の金属製折鶴形置物に係るものである。
【０００９】
また、前記首部３と前記尾部４とは、金属板を折曲加工して折鶴の首部分と尾部分の形に形成したことを特徴とする請求項１〜５の記載の金属製折鶴形置物に係るものである。
【００１０】
【発明の実施の形態】
好適と考える本発明の実施の形態（発明をどのように実施するか）を、図面に基づいてその作用効果を示して簡単に説明する。
【００１１】
折鶴の胴部分と羽根部分の形を象った羽根付胴体部１の前側の差込用突片２に、折鶴の首部分の形を象った首部３の被嵌差込部５を被嵌差込すると共に、後側の差込用突片２に、折鶴の尾部分の形を象った尾部４の被嵌差込部５を被嵌差込することで、差込用突片２が首部３と尾部４とによって被嵌隠蔽された折鶴形の置物が完成する。
【００１２】
このようにして完成した金属製の折鶴形置物は、強度が高いために簡単に壊れたりすることがなく、また、強度が高いために大型化が可能であると共に、表面には紙にはない金属独特の光沢が出るため、折り紙で作った折鶴のようでいてそうではない特異な美しい外観体裁を醸し出すことになるなど、飾ったときの商品性に秀れる。
【００１３】
また、折鶴のように一枚の紙を複雑に折合せて形成するのではなく、首部３と羽根付胴体部１と尾部４とを別体で構成するために、各部を構成する金属板を加工することも容易に行われることになり、しかも、羽根付胴体部１と別体の首部３と尾部４とは、単に羽根付胴体部１の前後に設けた差込用突片２に対して被嵌差込部５を被嵌差込することで羽根付胴体部１に装着する取付構造のため、簡単に羽根付胴体部１に対して首部３と尾部４とを組み付け可能で製作容易となるし、首部３と尾部４とを例えばリベット止やろう付などの止着手段を用いて取付しないために、外観上に止着加工部位が表出せず、折鶴と比較して外観上大きな差異がなく、折鶴に非常に酷似して見えることになる。
【００１４】
また、例えば、金属製下地板材６に金属製外装板材７を重合して成る前記金属板を採用して前記首部３と前記尾部４とを構成し、この首部３と尾部４の下部では、前記下地板材６と前記外装板材７との間に隙間が生じるように形成して、この隙間を前記差込用突片２が差込配設する前記被嵌差込部５とすれば、前記作用効果を確実に発揮する被嵌差込部５を簡易な構成にして容易に設計実現可能となる上、長く上方へ突出する首部３と尾部４とが多重層構造の金属板で構成されるために極めて高い強度を発揮し、一層壊れにくい上、一層の大型化が可能となるなど、極めて実用的となる。
【００１５】
また、例えば、前記羽根付胴体部１は、金属板を折鶴の胴部分の形に象り加工した胴部８に、金属板を折鶴の羽根部分の形に象り加工した羽根部９を添設状態に付設することで構成すれば、胴部８と羽根部９とを別体で構成することで金属板を複雑に折曲するようなことなく容易に形成可能となるし、折鶴において胴部分と羽根部分との間に存する折合せ部分の隙間も簡単に再現できることになるなど、一層実用的となる。
【００１６】
また、例えば、前記胴部８は、金属板を折曲加工して折鶴の胴部分の形に形成し、この胴部８の前後位置に前記差込用突片２を設け、この胴部８の左右位置に前記羽根部９を添設状態に付設し得る添設部８Ａを形成すれば、折鶴の胴部分の形が忠実に再現され、且つ羽根部９を添設状態に付設することが可能で、首部３と尾部４とを被嵌差込可能な差込用突片２付の胴部８を簡易に構成可能となり、一層実用的となる。
【００１７】
また、例えば、金属製下地板材６の表裏両面に金属製外装板材７を重合して成る前記金属板を採用して前記羽根部９を構成すれば、長く突出する羽根部９が多重層構造の金属板で構成されるために極めて高い強度を発揮し、一層壊れにくい上、一層の大型化が可能となる。
【００１８】
また、例えば、前記首部３と前記尾部４とは、金属板を折曲加工して折鶴の首部分と尾部分の形に形成すれば、折鶴の首部分と尾部分の形を忠実に再現した首部３と尾部４とを簡易に形成可能となり、一層実用的となる。
【００１９】
【実施例】
本発明の具体的な実施例について図面に基づいて説明する。
【００２０】
本実施例は、折鶴の形を模して、首部３、胴部８、羽根部９、尾部４を全て金属板で象り加工して形成した金属製折鶴形置物である。
【００２１】
また、本実施例では、金属製下地板材６の表面に金属製外装板材７を重合した二層構造の金属板により前記胴部８を構成し、二枚重ねした金属製下地板材６の表裏両面に金属製外装板材７としての第一外装板７Ａと第二外装板７Ｂとを重合した四層構造の金属板により前記首部３と前記羽根部９と前記尾部４とを構成している。
【００２２】
具体的には、本実施例の下地板材６は、厚さ０．６ｍｍ程度の亜鉛引鉄板を採用して構成している。
【００２３】
更に詳しくは、例えば、一枚の方形形亜鉛引鉄板に、折曲加工することで折鶴の首部分、胴部分、羽根部分、尾部分を形成できる展開形状（図１に示すように首部分と尾部分とは略同一形状の三角形状、胴部分は特殊な十二角形状、羽根部分は五角形状）を描いて夫々を切欠する。
【００２４】
そして、この各切欠板を折鶴の各部の形状と同じ形になるように折曲加工して首部下地６Ａ、胴部下地６Ｂ、羽根部下地６Ｃ、尾部下地６Ｄを形成する（図２参照）。尚、首部下地６Ａ、羽根部下地６Ｃ、尾部下地６Ｄについては、夫々二体ずつ形成しておく。
【００２５】
また、図１の中央に示した胴部下地６Ｂを構成する下地板材６には、外縁の所定の四箇所に重ね代１１を形成し、この下地板材６を折曲加工して胴部下地６Ｂ形状に形成した際に四隅に位置することとなるこの重ね代１１を、隣接する他の外縁に折り曲げて重ねることで胴部下地６Ｂを保形する構成としている。
【００２６】
また、本実施例では、この下地板材６としての亜鉛引鉄板を利用して後述の差込用突片２となる展開板２Ａを四体切欠形成している。
【００２７】
本実施例の外装板材７は、厚さ０．４ｍｍ程度の純銅板を採用して構成している。
【００２８】
更に詳しくは、例えば、一枚の方形形純銅板に、折曲加工することで折鶴の首部分、胴部分、羽根部分、尾部分を形成できる展開形状（図３に示すように首部分と尾部分とは略同一形状の三角形状、胴部分は特殊な十角形状、羽根部分は五角形状）を描いて夫々を切欠する。
【００２９】
そして、この各切欠板を折鶴の各部の形状と同じ形になるように折曲加工して前記胴部下地６Ｂの表面に重合する胴部外装７１並びに前記第一外装板７Ａとしての第一首部外装７０Ａ、第一羽根部外装７２Ａ、第一尾部外装７３Ａを形成する（図４参照）。
【００３０】
また、図３の中央に示した胴部外装７１を構成する外装板材７には、外縁の所定の四箇所に後述する第一羽根部外装７２Ａと羽根部下地６Ｃを抱き込み係止するための折代１２を形成すると共に、他の外縁部の四箇所に胴部下地６Ｂの外面に当接させる折下げ代１３を形成し、更に他の外縁部の四箇所に後述する差込用突片２を取付するための取付代１４を形成している。
【００３１】
また、図３の四隅に示した第一外装板７Ａ（第一首部外装７０Ａ、第一羽根部外装７２Ａ、第一尾部外装７３Ａ）には、基端側の外縁を除いた各縁部に対応する各下地板材６並びに第二外装板７Ｂを抱き込み係止するための折代１２を形成している。
【００３２】
また、同様にして例えば、一枚の方形形純銅板に、折曲加工することで折鶴の首部分、羽根部分、尾部分の展開形状（図５に示すように首部分と尾部分とは略同一形状の三角形状、羽根部分は五角形状）を描いて夫々を切欠する。
【００３３】
そして、この各切欠板を折鶴の形状と同じ形になるように折曲加工して第二外装板７Ｂとしての第二首部外装７０Ｂ、第二羽根部外装７２Ｂ、第二尾部外装７３Ｂを形成する。
【００３４】
また、図５の対向する隅部に示した第二羽根部外装７２Ｂを構成する第二外装板７Ｂには、基端寄りの両側縁に後述の折合せ板９Ａ・９Ｂを抱き込み係止するための係止代１７を形成している。
【００３５】
また、本実施例では、この第二外装板７Ｂとしての純銅板を利用して後述する高さのある折合せ板９Ａとこの折合せ板９Ａより低い高さの折合せ板９Ｂを二枚ずつ切欠形成している。
【００３６】
尚、本実施例では、下地板材６、第一外装板７Ａ、第二外装板７Ｂ、折曲板２Ａ、折合せ板９Ａ・９Ｂの全てに、折曲加工の目安となる折曲線１５を描いた場合を示しており、各部材の折曲加工を行い易くしている。
【００３７】
また、本実施例では、下地板材６と展開板２Ａを除いて、全ての前記外装板材７と折合せ板９Ａ・９Ｂとには表面にコーティング仕上げを施している。
【００３８】
尚、本実施例では、外装板材７として純銅板を採用した場合を示したが、例えばステンレス板や銅線色板やその他の金属板を採用しても良いし、適宜な金属体の表面に金箔張りを施したものを採用しても良い。
【００３９】
次に、組み立て手順を説明する。
【００４０】
先ず、胴部８を形成する。
【００４１】
具体的には、胴部下地６Ｂの表側（図面上側）に胴部外装７１を重合して、外観上で見えない下部部分（接地部分に近いところ）をハンダ付すると共に、胴部外装７１の前記各取付代１４を外側へ折曲して胴部下地６Ｂの下側側面にハンダ付し、更に、胴部外装７１の左右端部に位置している前記折下げ代１３を胴部下地６Ｂの左右端部の外形に添って折下げて重合当接することで、上面が略ダイヤ形に膨出し、且つ上から見て外周の四箇所が等間隔ごとにＶ字状に凹設する形状の胴部８が完成する。
【００４２】
また、この胴部８の一方の対向Ｖ状凹設部分（折曲してハンダ付した前記取付代１４が露出している側面部）を左右部としてこの左右のＶ状凹設部分を前記羽根部９が添設状態に付設する添設部８Ａとする。
【００４３】
次に、この胴部８の前後に差込用突片２を付設する。
【００４４】
具体的には、前記各展開板２Ａを中央の前記折曲線１５に沿って二重に折曲形成し、更に、両端寄りの折曲線１５に沿って両下端を同じ方向に屈曲形成して差込用突片２に構成する。尚、この差込用突片２は、四体のうちの二体は下端の折曲部２Ｂの折曲方向が他の二体に対して反対側に折曲するように構成する。即ち、折曲部２Ｂの屈曲方向が異なる二対の差込用突片２を用意する（図６参照）。
【００４５】
また、この差込用突片２は、下端の折曲部２Ｂよりやや上方部位で３ｍｍ程隙間が空くように折り返し形成して、この差込先端側から下方側へ行く程展開板２Ａの重合方向に厚みを増す形状に形成している（図１２参照）。
【００４６】
この差込用突片２の胴部８前後への取付構造は、単に、胴部８の四隅の下端に存する前記取付代１４に、各差込用突片２の折曲部２Ｂを重ねてハンダ付した構造とし、胴部８の前側位置と後側位置とに、左右に差込用突片２が対設状態となるように設けている。
【００４７】
次に、この胴部８の左右の添設部８Ａに羽根部９を付設する。
【００４８】
具体的には、先ず、図７に示すように、二枚重ねした前記羽根部下地６Ｃと第一羽根部外装７２Ａとを重ねた上で第一羽根部外装７２Ａが内側になるようにして前記添設部８Ａに配設し、この重ねた羽根部下地６Ｃと第一羽根部外装７２Ａの下方部分を添設部８Ａに対してリベット止する。
【００４９】
次いで、図８に示すように、羽根下地６Ｃの外側から第二羽根部外装７２Ｂを重合配設してリベット止の止着部位１０を隠蔽し、この第二羽根部外装７２Ｂの外側から、折鶴の羽根部分の外側面に表れる折合せ形状に模した前記二枚の折合せ板９Ａ・９Ｂを高さのある折合せ板９Ａを内側に、低い折合せ板９Ｂを外側にして重ねた上、第一羽根部外装７２Ａの外縁の前記折代１２を外側に折曲した後押し潰してこの折代１２で第二羽根部外装７２Ｂ及び高さのある折合せ板９Ａの上側の両側縁部を抱き込み係止し、更に、胴部外装７１の折代１２と共に第二羽部外装７２Ｂの前記係止代１７を重ねて外側に折曲した後押し潰してこの折代１２と係止代１７とで折合せ板９Ａの下側の両側縁部と折合せ板９Ｂの両側縁部とを抱き込み係止する。
【００５０】
ここまでで、羽根付胴体部１が完成する。
【００５１】
従って、第二羽根部外装７２Ｂで第一羽根部外装７２Ａ並びに羽根部下地６Ｃの止着部位１０（リベット止部位）を隠蔽するようにして胴部８に羽根部９を付設するから、羽根付胴体部１の外観は、金属止着部分が見えず、折鶴に酷似して見えるように構成している。
【００５２】
次に、首部３と尾部４とを形成する。
【００５３】
具体的には、首部３は、図１０に示すように、二枚重ねした首部下地６Ａの表裏両面に第一首部外装７０Ａと第二首部外装７０Ｂとを重ねた上、第一首部外装７０Ａの前記折代１２を外側に折曲した後押し潰してこの折代１２で首部下地６Ａ並びに第二首部外装７０Ｂの両側縁部を抱き込み係止し、更に上端部をくちばし状に折り曲げることで完成する（図１１参照）。
【００５４】
また、尾部４も同様にして二枚重ねした尾部下地６Ｄの表裏両面に第一尾部外装７３Ａと第二尾部外装７３Ｂとを重ねた上、第一尾部外装７３Ａの前記折代１２を外側に折曲した後押し潰してこの折代１２で尾部下地６Ｄ並びに第二尾部外装７３Ｂの両側縁部を抱き込み係止することで完成する。
【００５５】
また、この首部３と尾部４とは、下地板材６と外装板材７（第一外装板７Ａ，第二外装板７Ｂ）との間に生じている隙間を前記差込用突片２を差込挿入する被嵌差込部５とし、下端の開放部分からこの被嵌差込部５に差込用突片２を差込し得るようにしている。
【００５６】
尚、図１〜図１３では、雌の折鶴を模した首部３と尾部４とを示しているが、雄の折鶴形に構成することもできる。具体的には、図１４に示すように、首部３と尾部４の形状を雄形に形成すると共に、雄の折鶴の首部分と尾部分とに表れる折合せ形状に模した三角形状の雄用折合せ板１６を第二首部外装７０Ｂの外側面と第二尾部外装７３Ｂの外側面に重ねた上、第一首部外装７０Ａと第一尾部外装７３Ａの前記折代１２を折り曲げて折合せ板ごと抱き込み係止して雄の首部３と尾部４とを完成する。また、図面では、雄の首部３のみを示したが、くちばしの部分を折曲形成しないことで雄の尾部４となる（図中の括弧内の符号は尾部４の場合の符号を示している。）。
【００５７】
次に、図１２に示すように、羽根付胴体部１の前側の差込用突片２に前記首部３の被嵌差込部５を差込すると共に、後側の差込用突片２に前記尾部４の被嵌差込部５を差込することで、前後の差込用突片２が首部３と尾部４とによって被嵌隠蔽された折鶴形の置物が完成する。
【００５８】
また、この際、差込用突片２が前記したように下端側程厚みがあるために、差込用突片２に深く首部３と尾部４とを差込するほど係合度合いが高くなり、首部３や尾部４が簡単に抜け外れたり、ガタついたりしにくい構成としている。
【００５９】
また、本実施例では、首部３の第二首部外装７０Ｂと尾部４の第二尾部外装７３Ｂの下部を、他の首部３及び尾部４を構成する部材よりも下方へ長く突出する形状に形成しており、この第二首部外装７０Ｂと第二尾部外装７３Ｂの突出下端部を図１２に示すように前記添設部８Ａ側へ折り返し折曲してこの首部３並びに尾部４と差込用突片２との差込接合部分を隠蔽することで、折鶴と同様に首部３並びに尾部４と胴部８とが一体的に形成されているように見え、折鶴に酷似したデザインとなるように構成している。
【００６０】
本実施例では、完成時に上方に高く突出する首部３と、羽根部９と、尾部４とを二枚重ねた下地板材６の表裏に二枚、外装板材７（第一外装板７Ａ，第二外装板７Ｂ）を重合した四重層構造としたため、非常に長く（高く）形成される首部３、羽根部９、尾部４が極めて高い強度を発揮し、大型化しても簡単に折れ曲がって壊れてしまうようなことがない。
【００６１】
尚、本発明は、本実施例に限られるものではなく、各構成要件の具体的構成は適宜設計し得るものである。
【００６２】
【発明の効果】
本発明は上述のように構成したから、金属製で強度が高いために簡単に壊れたりすることがなく、また、強度が高いために大型化が可能であると共に、表面には紙にはない金属独特の光沢が出るため、折り紙で作った折鶴のようでいてそうではない特異な美しい外観体裁を醸し出すことになるなど、飾ったときの商品性に秀れ、しかも、折鶴のように一枚の紙を複雑に折合せて形成するのではなく、首部と羽根付胴体部と尾部とを別体で構成するために、各部を構成する金属板を加工することも容易に行われることになり、その上、羽根付胴体部と別体の首部と尾部とは、単に羽根付胴体部の前後に設けた差込用突片に対して被嵌差込部を被嵌差込することで羽根付胴体部に装着する取付構造のため、簡単に羽根付胴体部に対して首部と尾部とを組み付け可能で製作容易となるし、首部と尾部とを例えばリベット止やろう付などの止着手段を用いて取付しないために、外観上に止着加工部位が表出せず、折鶴と比較して外観上大きな差異がなく、折鶴に非常に酷似して見えることになるなど、極めて実用性に秀れた画期的な金属製折鶴形置物となる。
【００６３】
また、請求項２記載の発明においては、前記作用効果を確実に発揮する被嵌差込部を簡易な構成にして容易に設計実現可能となる上、長く上方へ突出する首部と尾部とが多重層構造の金属板で構成されるために極めて高い強度を発揮し、一層壊れにくい上、一層の大型化が可能となるなど、極めて実用性に秀れた構成の金属製折鶴形置物となる。
【００６４】
また、請求項３記載の発明においては、胴部と羽根部とを別体で構成することで金属板を複雑に折曲するようなことなく容易に形成可能となるし、折鶴において胴部分と羽根部分との間に存する折合せ部分の隙間も簡単に再現できることになるなど、一層実用性に秀れた構成の金属製折鶴形置物となる。
【００６５】
また、請求項４記載の発明においては、金属板を折曲加工することによって折鶴の胴部分の形が忠実に再現され、且つ羽根部を添設状態に付設することが可能で、首部と尾部とを被嵌差込可能な差込用突片付の胴部を簡易に構成可能となる一層実用性に秀れた構成の金属製折鶴形置物となる。
【００６６】
また、請求項５記載の発明においては、長く突出する羽根部が多重層構造の金属板で構成されるために極めて高い強度を発揮し、一層壊れにくい上、一層の大型化が可能となる極めて実用性に秀れた構成の金属製折鶴形置物となる。
【００６７】
また、請求項６記載の発明においては、金属板を折曲加工することによって折鶴の首部分と尾部分の形を忠実に再現した首部と尾部とを簡易に形成可能となる一層実用性に秀れた構成の金属製折鶴形置物となる。
【図面の簡単な説明】
【図１】本実施例の下地板材並びに展開板を示す説明平面図である。
【図２】本実施例の首部下地、胴部下地、羽根部下地、尾部下地を示す説明斜視図である。
【図３】本実施例の外装板材並びに第一外装板を示す説明平面図である。
【図４】本実施例の第一首部外装、胴部外装、第一羽根部外装、第一尾部外装を示す説明斜視図である。
【図５】本実施例の第二外装板並びに羽根部の折合せ板を示す説明平面図である。
【図６】本実施例の胴部に差込用突片を付設する前の状態を示す説明斜視図である。
【図７】本実施例の、重ねた羽根部下地と第一羽根部外装とを胴部に付設する前の状態を示す説明斜視図である。
【図８】本実施例の、重ねた羽根部下地と第一羽根部外装とを胴部に付設し、羽根部下地に第二羽根部外装と折合せ板とを重合しようとする状態を示す説明斜視図である。
【図９】本実施例の羽根付胴体部の完成状態を示す説明斜視図である。
【図１０】本実施例の羽根付胴体部と、首部並びに尾部の分解状態とを示した説明斜視図である。
【図１１】本実施例の羽根付胴体部に、首部と尾部とを装着する前の状態を示す説明斜視図である。
【図１２】本実施例の差込用突片と被嵌差込部との差込構造を示す部分拡大説明断面図である。
【図１３】本実施例の完成状態を示す斜視図である。
【図１４】雄形の首部を示す説明斜視図である。
【符号の説明】
１  羽根付胴体部
２  差込用突片
３  首部
４  尾部
５  被嵌差込部
６  下地板材
７  外装板材
８  胴部
８Ａ  添設部
９  羽根部
【図１】
2004262053.tif 000003
【図２】
2004262053.tif 000004
【図３】
2004262053.tif 000005
【図４】
2004262053.tif 000006
【図５】
2004262053.tif 000007
【図６】
2004262053.tif 000008
【図７】
2004262053.tif 000009
【図８】
2004262053.tif 000010
【図９】
2004262053.tif 000011
【図１０】
2004262053.tif 000012
【図１１】
2004262053.tif 000013
【図１２】
2004262053.tif 000014
【図１３】
2004262053.tif 000015
【図１４】
2004262053.tif 000016